(57)【特許請求の範囲】
【請求項１】
長手方向に伸縮弾性を有するベルト本体を具備し、該ベルト本体の長手方向における一端部と他端部とが、該端部にそれぞれ縫着された面ファスナーを介して自在に着脱される骨盤矯正ベルトにおいて、
片手で握持し得る大きさの、柔軟な素材からなる一対の把手が、前記ベルト本体とは別体に形成され、
該把手には取付座部が設けられて、該取付座部には面ファスナーが縫着されてなり、
前記ベルト本体を身体に装着しない状態で、前記一対の把手の面ファスナーが前記ベルト本体の一端部及び他端部に設けられた面ファスナーにそれぞれ係着されることにより、前記把手が前記ベルト本体に対して自在に着脱されることを特徴とする骨盤矯正ベルト。
【請求項２】
長手方向に伸縮弾性を有するベルト本体が、その長手方向における両端部に縫着された面ファスナーを介して自在に着脱されるように構成された骨盤矯正ベルトのための着脱式把手であって、
ベルト本体とは別体に形成された一対の取付座部に、片手で握持し得る大きさの、柔軟な素材からなる把手がそれぞれ縫着されるとともに、前記各取付座部にそれぞれ面ファスナーが縫着されてなり、
前記ベルト本体を身体に装着しない状態で、前記各取付座部の面ファスナーが前記ベルト本体の一端部及び他端部に設けられた面ファスナーにそれぞれ係着されることにより、前記ベルトに対して一対の把手が自在に着脱されることを特徴とする骨盤矯正ベルト用の着脱式把手。
【発明の詳細な説明】
【技術分野】
【０００１】
本発明は、人体の腰部に巻き付けて装着する骨盤矯正ベルトと、該骨盤矯正ベルト用の着脱式把手に関する。
【背景技術】
【０００２】
現代人の生活においては、長時間に及ぶ不自然な姿勢での労働や慢性的な運動不足等によって骨盤に歪みが生じやすい。骨盤の歪みは、骨盤の上方に積み重なっている腰椎、脊椎、胸椎、頸椎等にも連鎖して、腰痛、背痛、肩凝り、首痛、頭痛等をしばしば引き起こす。
【０００３】
そのような骨盤の歪みを矯正し、あるいは患部の痛みを緩和するための装具として、例えば特許文献１に開示されているような骨盤矯正ベルトが知られている。従来の一般的な骨盤矯正ベルトは、長手方向に伸縮弾性を有する布地材からなり、これを引き伸ばしながら腰部に巻き付けて、両端部に縫着された面ファスナーを互いに係着させて装着するように構成されている。
【先行技術文献】
【特許文献】
【０００４】
【特許文献１】特開２００４−２６１４３０号報
【発明の概要】
【発明が解決しようとする課題】
【０００５】
前記従来の一般的な骨盤矯正ベルトにあっては、腰部に巻き付けて使用する以外の用途は特に考慮されていない。
【０００６】
この種の矯正装具は、常時、身につけていると、患部の歪みを整えたり痛みを緩和したりすることができる反面、患部周辺の筋力を衰えさせてしまい、却って快癒を遅らせるおそれもある。そのため、この種の装具による患部の矯正あるいは保護と、患部周辺の筋力トレーニングとを、並行してバランスよく実施することが望まれる。
【０００７】
本発明は、かかる事情に鑑みてなされたもので、装着時には従来一般の骨盤矯正ベルトと同様の効果を得ることができる一方、非装着時には筋力トレーニングやストレッチング等にも利用することができる骨盤矯正ベルトを提供するものである。
【０００８】
併せて本発明は、かかる骨盤矯正ベルト用の着脱式把手を提供するものである。
【課題を解決するための手段】
【０００９】
前述の目的を達成するため、本発明の骨盤矯正ベルトは、長手方向に伸縮弾性を有するベルト本体を具備し、該ベルト本体の長手方向における一端部と他端部とが、該端部にそれぞれ縫着された面ファスナーを介して自在に着脱される骨盤矯正ベルトにおいて、片手で握持し得る大きさの、柔軟な素材からなる一対の把手が、前記ベルト本体とは別体に形成されて、前記ベルト本体の一端部及び他端部に、それぞれ着脱自在に取り付けられる、という基本的構成を採用する。
【００１０】
このように構成された本発明の骨盤矯正ベルトは、非装着時には、両端部に設けられた把手を握ってエキスパンダーのように引き伸ばすことにより、手軽なトレーニング用具として利用することができる。
【００１１】
ベルト本体の端部に把手を取り付けるための具体的態様としては、それぞれの把手に取付座部が設けられ、該取付座部に面ファスナーが縫着され、前記ベルト本体を身体に装着しない状態で、前記一対の把手の面ファスナーが前記ベルト本体の一端部及び他端部に設けられた面ファスナーにそれぞれ係着されることにより、前記把手が前記ベルト本体に対して自在に着脱されるように構成することができる。
【００１２】
この構成を採用した場合には、ベルト本体を腰に装着する際に把手を取り外すことができるので、把手が装着の邪魔にならない。例えば把手だけをポーチやバッグ等に入れて携行したり、所定の場所に保管したりしておけば、ベルト本体を腰から取り外した際、その両端に、面ファスナーを介して手早く把手を取り付け、トレーニングを行うことができる。
【００１５】
また、本発明の骨盤矯正ベルト用の着脱式把手は、長手方向に伸縮弾性を有するベルト本体が、その長手方向における両端部に縫着された面ファスナーを介して自在に着脱されるように構成された骨盤矯正ベルトのための着脱式把手であって、ベルト本体とは別体に形成された一対の取付座部に、片手で握持し得る大きさの、柔軟な素材からなる把手がそれぞれ縫着されるとともに、前記各取付座部にそれぞれ面ファスナーが縫着されてなり、前記ベルト本体を身体に装着しない状態で、前記各取付座部の面ファスナーが前記ベルト本体の一端部及び他端部に設けられた面ファスナーにそれぞれ係着されることにより、前記ベルトに対して一対の把手が自在に着脱されることを特徴とする。かかる骨盤矯正ベルト用の着脱式把手を採用することにより、一般的な骨盤矯正ベルトを、手軽にトレーニング用具として利用することができる。
【発明の効果】
【００１６】
本発明の骨盤矯正ベルトは、ベルト本体の両端部に把手が設けられるので、その把手を握ってベルト本体を引き伸ばすことができる。身体の前側でエキスパンダーのように左右方向に引き伸ばしたり、ベルト本体を背中側に回して斜め方向に引き伸ばしたり、あるいはベルト本体の中間部に足をかけて膝を鍛えたり、など、様々な使い方が可能であるから、日常的に、筋力トレーニングやストレッチング、リハビリ体操に広く利用することができる。
【００１７】
さらに、この骨盤矯正ベルトは、利用者が日常的に身につけるものであるから、例えば着替えや入浴等に際してベルト本体を取り外したとき、そのベルト本体をその場ですぐに利用することができる。すなわち、トレーニング等に際して、わざわざ仰々しい道具や機器類を使うわけではなく、日常的に身につけてものをそのまま使うことができるので、トレーニングに際しての心理的負担が極めて小さくて済む。また、この種の骨盤矯正ベルトの主な利用者である高齢者にとって、ベルト本体の伸縮弾性は、ちょっとしたトレーニングに程よい強さでもあるから、特に高齢者用のトレーニング用具としても好適である。
【００１８】
また、本発明の骨盤矯正ベルト用の着脱式把手は、ベルト本体の端部に縫着された面ファスナーを介して、ベルト本体に着脱自在に取り付けられるものであり、しかも、それ自体は小さくてかさばらないように形成されるので、いつでもどこでも手軽にトレーニングをしようとする利用者にとっては、きわめて便利なものとなる。
【図面の簡単な説明】
【００１９】
【図１】本発明の第１実施形態にかかる骨盤矯正ベルトの構成を示す説明図である。
【図２】前記骨盤矯正ベルトを利用して筋力トレーニングを行うイメージ図である。
【図３】本発明の範囲外となる第２実施形態にかかる骨盤矯正ベルトの構成を示す説明図である。
【図４】図３の骨盤矯正ベルトの端部を折り返した状態を示す説明図である。
【発明を実施するための形態】
【００２０】
以下、本発明の実施の形態について図を参照して説明する。
【００２１】
［第１実施形態］
図１は本発明の第１実施形態にかかる骨盤矯正ベルト１の構成を示す。この骨盤矯正ベルト１は、長手方向に伸縮弾性を有する１本のベルト本体２と、その両端部に着脱自在に設けられる一対の把手３、３とによって構成されている。
【００２２】
ベルト本体２は、ゴム糸が織り込まれた布地材等からなり、幅は１０〜１５ｃｍ程度の略一様幅で、両端部は略半円形状の丸みをなすように縫製されている。ベルト本体２は、両端部に縫着された面ファスナーを介して自在に着脱される。面ファスナーに関しては、両面に区別がない特殊なタイプ等も知られているが、本実施形態では、フック面とループ面とを係着させる一般的な面ファスナーを利用することを前提として、以下、各部の詳細を説明する。
【００２３】
ベルト本体２の、装着時に内側（身体側）になるほうの端部（これを「一端部Ａ」とする。）には、その外面に面ファスナーのループ面材２１が縫着されている。また、ベルト本体２の、装着時に外側になるほうの端部（これを「他端部Ｂ」とする。）には、その内面に面ファスナーのフック面材２２が縫着されている。これらの面ファスナーはベルト本体２の略全幅にわたるように縫着されており、一端部Ａ側のループ面材２１は長円形状、他端部Ｂ側のフック面材２２は略円形状に形成されて、装着長さを調節することができるようになっている。一端部Ａ側のループ面材２１及び他端部Ｂ側のフック面材２２はともに、それら面材の外縁よりも数ｍｍ程度内側を外縁に沿って二重に周回する位置、及びベルト本体２の長手方向中心線と重なる位置にて、ベルト本体２に縫い付けられている。
【００２４】
把手３は、柔軟で丈夫な布テープ等からなり、該布テープ等の長さは片手で握持しやすい十数ｃｍ程度となされている。該布テープ等の幅は１〜３ｃｍ程度で、その中間部が幅方向に二つ折りされて、その縁部が縫い付けられている。把手３の両端部は、略円形の布地材からなる取付座部４に縫着されている。
【００２５】
取付座部４の片面には、取付座部４と略同形状の面ファスナーが縫着されている。この面ファスナーが、ベルト本体２の両端部に縫着された面ファスナーにそれぞれ自在に着脱される。すなわち、一方の把手３の取付座部４にはフック面材４２が縫着されて、これがベルト本体２の一端部Ａ側に縫着されたループ面材２１に係着される。また、他方の把手３の取付座部４にはループ面材４１が縫着されて、これがベルト本体２の他端部Ｂ側に縫着されたフック面材２２に係着される。
【００２６】
取付座部４の面ファスナーは、その外縁よりも数ｍｍ程度内側を外縁に沿って一周する位置、及び把手３を横向きにしたときに縦方向の中心線と重なる位置にて、取付座部４に縫い付けられている。前述したベルト本体２側に縫着される面ファスナーも含めて、面ファスナーの外縁よりも数ｍｍ程度内側を縫い付けているのは、面ファスナー同士の係着力を高めるための配慮である。つまり、面ファスナー同士の係着面に、係着面外方向の捻りを伴った引張力が作用したとき、面ファスナーが外縁に近い位置で縫い付けられていると、捻り方向の力が面ファスナーの外縁を捲る方向に作用して、面ファスナーが剥がれやすくなる。しかし、面ファスナーが外縁よりも内側の位置で縫い付けられていると、捻り方向の力が面ファスナーの外縁よりも係着面の中央側にかかりやすくなるので、面ファスナーの外縁近傍が剥がれにくくなる、という理由からである。
【００２７】
このように構成された一対の把手３、３を、面ファスナーを介してベルト本体２の両端部にそれぞれ取り付けることにより、例えば図２に示すように、両端部の把手３、３を握って引き伸ばすトレーニングを手軽に行うことができるようになる。
【００２８】
なお、例示形態に係る把手３は、その中間部分で布テープを幅方向に二つ折りしているため、一方の側縁は折り返された環部３１となり、反対側縁は布テープを２枚重ねにして縫い合わせた耳部３２となっている。この把手３は、ベルト本体２を伸ばしたとき、ベルト本体２の同じ側に環部３１が向くように取り付けられるのが好ましい。そのように把手３を取り付けると、図２のようにして両方の把手３、３を握ったとき、両手の掌内に把手３の環部３１が向いて握りやすくなるからである。
【００２９】
［第２実施形態］
図３〜図４は本発明の範囲外となる第２実施形態にかかる骨盤矯正ベルト１０の構成を示す。この骨盤矯正ベルト１０は、ベルト本体２の両端に予め把手３、３が一体に縫着された構成となっている。
【００３０】
ベルト本体２は、前記第１実施形態と同様に、ゴム糸が織り込まれた略一様幅の布地材等からなり、長手方向に伸縮弾性を有する。ベルト本体２の両端部は、略半円形状の丸みをなすように縫製されている。
【００３１】
ベルト本体２の、装着時に内側（身体側）になるほうの端部（一端部Ａ）には、その外面に面ファスナーのループ面材２１が縫着されている。また、ベルト本体２の、装着時に外側になるほうの端部（他端部Ｂ）には、その内面に面ファスナーのフック面材２２が縫着されている。これらの面材はベルト本体２の両端部を着脱するためのもので、その形状や縫着態様は、前記第１実施形態と同様である。
【００３２】
ただし、この第２実施形態では、図４に示すように、ベルト本体２の両端部が面ファスナーを内側にして折り返され、さらに、その折り重ね部分が面ファスナーを介して係着されるように構成されている。
【００３３】
すなわち、一端部Ａ側においては、長円形状をなすループ面材２１の長さ方向における中間部付近に折り返し位置が設定されている。そして、ループ面材２１に隣接するベルト本体２の中央部側には、数ｃｍ幅の短冊状に形成されたフック面材５２が縫着されている。短冊状のフック面材５２の略半部は、自由端としてループ面材２１の外面に重なるように延び出している。そして、長円形状のループ面材２１が半分に折り返され、その端部側が短冊状のフック面材５２の自由端に係着されることにより、折り重ね状態で固定される。
【００３４】
また、ベルト本体２の他端部Ｂ側においては、略円形状のフック面材２２に隣接して、ベルト本体２の中央部側に、略半円形状のループ面材５１が縫着されている。そして、略円形状のフック面材２２を略半円形状のループ面材５１に重ねるようにしてベルト本体２が折り返され、両面材が係着される。
【００３５】
ベルト本体２の両端部における前記折り返し位置には、それぞれ把手３が縫着されている。第２実施形態の把手３は、ベルト本体２と一体になって身体に装着されることから、装着時の違和感を低減し得るように、前記第１実施形態の把手３よりもやや幅が細く、生地も柔らかめの布テープ等を、二つ折りにしない状態で用いて形成されている。把手３の長さは、第１実施形態と同様に、片手で握持しやすい十数ｃｍ程度である。把手３は、その両端部がベルト本体２の長手方向に直交する向きで、ベルト本体２と面ファスナーとの間に挟み込まれ、ベルト本体２及び面ファスナーと一体に縫着されている。
【００３６】
このようにしてベルト本体２に縫着された把手３が、ベルト本体２の端部を折り返すことによって握持しやすい状態になるとともに、把手３にかかる引っ張り力が、ベルト本体２の折り重ね部分（面ファスナー同士の係着部分）を通じて、ベルト本体２全体に無理なく伝達されることとなる。
【００３７】
上述のとおり、第１実施形態及び第２実施形態のいずれの構成においても、把手３、３とベルト本体２とは強固に結合され、面ファスナーの係着面に作用する引き剥がし方向の力は好適に分散される。したがって、これらの骨盤矯正ベルト１、１０を筋力トレーニング用具として利用する際にも、しっかりとした使用感が得られることとなる。
【００３８】
なお、前述した実施形態は一例であり、細部の形状や寸法については本発明の主旨を逸脱しない範囲で適宜改変が可能である。例えば、ベルト本体２の幅は一様でなくともよいし、端部は半円形状でなくともよい。また、ベルト本体２が複数本の伸縮部材を組み合わせたものであってもよいし、金属ワイヤーや合成樹脂その他の素材が複合的に利用されていてもよい。ベルト本体２の端部に縫着される面ファスナーの形状は、ベルト本体２の形状や材質に応じて適宜、変形されてもよいし、それに合わせて把手３や取付座部４の形状が変化してもよい。面ファスナーについては、フック面材とループ面材の位置関係を入れ替えてもよいし、フック面とループ面との区別がなく同じ面同士を係着できるタイプや、その他特殊な起毛形状を有するものなどを利用することもできる。
【符号の説明】
【００３９】
１  骨盤矯正ベルト
２  ベルト本体
２１  面ファスナー（ループ面材）
２２  面ファスナー（フック面材）
３  把手
３１  環部
３２  耳部
４  取付座部
４１  面ファスナー（ループ面材）
４２  面ファスナー（フック面材）
５１  面ファスナー（ループ面材）
５２  面ファスナー（フック面材）
Ａ  一端部Ａ
Ｂ  他端部Ｂ
【図１】
0005917091.tif 000002
【図２】
0005917091.tif 000003
【図３】
0005917091.tif 000004
【図４】
0005917091.tif 000005